(57)【要約】  アパレルの着用者の適合性を管理するためのシステム及び方法が開示される。１つの方法は、履物のためのトゥキャップと関連する識別子を受信するステップと、無線周波数を経由して、履物のための前記トゥキャップと関連する特徴情報を受信するステップと、少なくとも前記識別子及び前記特徴情報に基づいて、前記トゥキャップの適合性を決定するステップと、少なくとも前記適合性の決定に基づいて、前記履物の着用者に応答を提供するステップと、を含む。【選択図】図３
2019532525.tif 000002
【特許請求の範囲】
【請求項１】
アパレルの適合性を管理する方法であって、
履物のためのトゥキャップと関連する識別子を受信するステップと、
無線周波数を経由して、履物のための前記トゥキャップと関連する特徴情報を受信するステップと、
少なくとも前記識別子及び前記特徴情報に基づいて、前記トゥキャップの適合性を決定するステップと、
少なくとも前記適合性の前記決定に基づいて、前記履物の着用者に応答を提供するステップと、を含む、方法。
【請求項２】
前記識別子は、前記履物に配置されたＲＦＩＤタグから無線周波数を経由して受信される、請求項１に記載の方法。
【請求項３】
前記識別子は、無線通信チャネルを経由して受信される、請求項１に記載の方法。
【請求項４】
前記特徴情報は、前記履物に配置されたアンテナから生成されるＲＦ信号の形態によって示される、請求項１〜３の何れか一項に記載の方法。
【請求項５】
前記トゥキャップの傷つけられた状況は、前記アンテナから生成される前記信号の形態に反映される、請求項４に記載の方法。
【請求項６】
前記適合性を決定するステップは、前記特徴情報を比較情報と比較するステップを含む、請求項１〜５の何れか一項に記載の方法。
【請求項７】
前記比較情報は、少なくとも前記識別子に基づいて選択される、請求項６に記載の方法。
【請求項８】
前記着用者への前記応答は、音声フィードバック、視覚フィードバック及び触覚フィードバックの１つ以上を含む、請求項１〜７の何れか一項に記載の方法。
【請求項９】
前記着用者への前記応答は、前記着用者への前記適合性の通知、前記着用者への命令、前記履物を変更するための提案、又は、それらの組み合わせを示す、請求項１〜７の何れか一項に記載の方法。
【請求項１０】
適合性管理システムであって、
１つ以上の適合性規則及びプロセッサにより実行可能な命令を備えたメモリと、
前記メモリと通信するプロセッサであって、
履物のためのトゥキャップと関連する識別子を受信し、
無線周波数を経由して、履物のための前記トゥキャップと関連する特徴情報を受信し、
少なくとも前記識別子及び前記特徴情報に基づいて、前記トゥキャップの適合性を決定し、
少なくとも前記適合性の前記決定に基づいて、前記履物の着用者に応答を提供する、ように構成される、プロセッサと、
を含む、適合性管理システム。
【請求項１１】
前記識別子は、前記履物に配置されたＲＦＩＤタグから無線周波数を経由して受信される、請求項１０に記載の適合性管理システム。
【請求項１２】
前記識別子は、無線通信チャネルを経由して受信される、請求項１０に記載の適合性管理システム。
【請求項１３】
前記特徴情報は、前記履物に配置されたアンテナから生成されるＲＦ信号の形態によって示される、請求項１０〜１２の何れか一項に記載の適合性管理システム。
【請求項１４】
前記トゥキャップの傷つけられた状況は、前記アンテナから生成される前記信号の形態に反映される、請求項１３に記載の適合性管理システム。
【請求項１５】
前記適合性を決定するステップは、前記特徴情報を比較情報と比較するステップを含む、請求項１０〜１４の何れか一項に記載の適合性管理システム。
【請求項１６】
前記比較情報は、少なくとも前記識別子に基づいて選択される、請求項１５に記載の適合性管理システム。
【請求項１７】
前記着用者への前記応答は、音声フィードバック、視覚フィードバック及び触覚フィードバックの１つ以上を含む、請求項１０〜１６の何れか一項に記載の適合性管理システム。
【請求項１８】
前記着用者への前記応答は、前記着用者への前記適合性の通知、前記着用者への命令、前記履物を変更するための提案、又は、それらの組み合わせを示す、請求項１０〜１７の何れか一項に記載の適合性管理システム。
【請求項１９】
前記適合性規則は、前記トゥキャップのための安全適合性を示す、請求項１０〜１８の何れか一項に記載の適合性管理システム。
【請求項２０】
前記適合性規則は、前記トゥキャップのための傷つけられた状態の閾値を示す、請求項１０〜１８の何れか一項に記載の適合性管理システム。
【発明の詳細な説明】
【技術分野】
【０００１】
本特許出願は、概してアパレルのセンシング技術に関し、より具体的には、アパレルとその着用者について様々な特徴をセンシングする方法及びシステムに関する。
【背景技術】
【０００２】
アパレルは、多くの場合、着用者の保護、そして遮断性を提供することにより着用者の身体を温めることを目的として着用される。着用者は、温度、風、降水量等の環境の状況に基づいて特定のアパレルを選んでよい。多くの場合、アパレルは、着用者にとって個人的なものであり、着用者の気分、趣味、地位等の側面を知らせたり表現したりする。したがって、着用者は、カジュアル、フォーマル、ファッショナブル、下着、上着などの異なる服や靴で装飾を行う。
【０００３】
アパレルにおける最近の発展に、スマートクロージングがある。スマートクロージング又はデジタルクロージングは、衣類と情報技術とを組み合わせたものである。これには、衣類の一部としてデジタル機器を組み入れたものが含まれる。デジタル機器は、衣類に包含されるか、又は衣類に取り付け可能であってよい。しかしながら、スマートクロージングの改善が必要とされている。
【発明の概要】
【０００４】
本特許出願は、アパレルとその着用者についての様々な特徴をセンシングするシステムと方法に関する。ある態様において、方法は、履物のためのトゥキャップと関連する識別子を受信するステップと、無線周波数を介して、履物のための前記トゥキャップと関連する特徴情報を受信するステップと、少なくとも前記識別子及び前記特徴情報に基づいて前記トゥキャップの適合性を決定するステップと、少なくとも前記適合性の前記決定に基づいて前記履物の着用者に応答を提供するステップと、を含んでよい。
【０００５】
さらに別の態様において、システムは、１つ以上の適合性規則とプロセッサにより実行可能な命令とを備えたメモリと、履物のためのトゥキャップに関連した識別子を受信し、無線周波数を介して、履物のための前記トゥキャップに関連した特徴情報を受信し、少なくとも前記識別子及び前記特徴情報に基づいて前記トゥキャップの適合性を決定し、少なくとも前記適合性の前記決定に基づいて前記履物の着用者への応答を提供するように構成された、前記メモリと通信するプロセッサを含んでよい。
【図面の簡単な説明】
【０００６】
【図１】本開示の態様におけるシステムとネットワークの一例のブロック図である。
【図２】本開示の態様におけるシステムとネットワークの一例のブロック図である。
【図３】（Ａ）〜（Ｅ）は、本開示の態様におけるトゥキャップの例の概要図である。
【図４】本開示の態様における方法の一例のフローチャートである。
【図５】本開示の態様における、図４の方法を実装するように構成されたコンピューターシステムのブロック図である。
【発明を実施するための形態】
【０００７】
本開示の態様によれば、システム及び方法は、履物及び履物のアクセサリのようなアパレルの特徴を決定する道具を提供する。一例として、履物のようなアパレルの１つ以上のアイテムは、履物の特徴を通信するように構成されたセンサを含んでよい。そのような情報は、追加処理のために計算装置へ送信されてよい。特定の態様において、センサは、測定情報を携帯機器などのユーザー機器に向けて通信（アクティブに又はパッシブに／応答可能なように）してよい。したがって、ユーザー機器は、測定データを処理するように、及び／又は、処理のためにネットワーク又は通信路上で測定データを送信するように構成されてよい。しかしながら、以下にさらに詳しく説明するように、様々なセンサ、計算装置、通信メカニズムは、使用されてよい。
【０００８】
「アパレル」の語は、１つ以上の衣類の品目として定義され、上着、下着、上半身用衣類、下半身用衣類、帽子、手袋、履物などを含んでよい。「衣類」の語は、アパレルを参照するために用いられ、特定の衣服、被り物、手袋、履物又は同種のものに限定しない。
【０００９】
図１は、本方法とシステムが動作し得るネットワークの一例の様々な態様を示す。当業者は、本方法がデジタル及びアナログの両方の設備を用いた様々なネットワークやシステムに使用されることを理解するであろう。本システムは、要素から成るものとして説明される。要素は、ソフトウエア、ハードウエア、又はソフトウエアとハードウエアの組み合わせであってよい。当業者は、本開示において機能の説明が提供され、それぞれの機能はソフトウエア、ハードウエア、又はソフトウエアとハードウエアの組み合わせにより実現され得ると理解するであろう。
【００１０】
システム及びネットワークは、例えば、サーバー又はネットワークインターフェースデバイス（ＮＩＤ）のような計算装置１０４と通信するユーザー機器１０２（例：物理コンピューターホスト、仮想マシン、ＩＰを用いた機器）を含んでよい。計算装置１０４は、ユーザー機器１０２に対してローカルに又はリモートに配置されてよい。一例として、ユーザー機器１０２は、計算装置１０４と、プライベート及び／又はインターネットのようなパブリックネットワーク１０５を介して通信してよい。例えば、有線や無線遠隔通信チャネルのようなその他の通信形態は、使用されてよい。
【００１１】
ある態様においては、ユーザー機器１０２は、コンピューター、ＲＦリーダー、携帯機器、スマートフォン、ノートパソコン、タブレット、ディスプレイ機器、又は計算装置１０４と通信可能なその他の機器のような電子機器であってよい。ユーザー機器１０２は、衣類（アパレル）の１つ以上のアイテム及び／又は着用者についての情報を通信するように構成されてよい。ユーザー機器１０２は、アパレルの内部又は近辺に配置されたセンサ１１８等の別の機器についての情報を決定し、情報を通信するように構成されてよい。特定の態様においては、ユーザー機器１０２（例：ＲＦリーダー）は、センサ１１８に向けて信号（例：ＲＦ信号）を送信してよく、センサ１１８は、信号に応答するためのアンテナのようなＥＩＭ（Electromagnetically Induced Material）とともに構成されてよい。応答信号は、アパレル１１５の状態又は特徴を表してよい。
【００１２】
例えば、ユーザー機器１０２は、ＲＦリーダーを含むスマートフォン、手持ち式機器、又はタブレットのような携帯計算装置であって、又はそれらを含んでよい。ユーザー機器１０２は、ＩＰネットワーク、セルラーネットワーク、ニアフィールドネットワーク、Ｂｌｕｅｔｏｏｔｈ、ＺｉｇＢｅｅ、又はその他の仕様やプロトコルのような、１つ以上のネットワークへ動作可能に接続されてもよい。ユーザー機器１０２は、例えばＲＦ（Radio Frequency）通信を使用して、信号を送受信するためにセンサ１１８と通信してよい。特定の態様において、ユーザー機器１０２は、アパレル１１５のアイテムの特徴についてセンサ１１８から情報を得るように構成される。その特徴は、返送された信号の形態によって再送されてよい。一例として、アパレル１１５の様々な状態は、代表的な信号の形態又は波形のデータ記憶装置１２８のような適合性シグネチャ１３０によって表現されてよい。そのような状態及び特徴は、安全特徴／状態、適合性特徴／状態、アパレル１１５の完全性（integrity）などを含んでよい。ユーザー機器１０２は、計算装置１０４のようなその他の機器と通信するように構成されてよい。ユーザー機器１０２は、センサ１１８からの情報を受信してよく、情報を計算装置１０４へ送信してよい。
【００１３】
ユーザー機器１０２は、ユーザー機器１０２及び／又は計算装置１０４と相互作用するためにユーザーへインターフェースを提供する通信要素１０６を含んでよい。通信要素１０６は、例えばウェブブラウザ（例：Ｉｎｔｅｒｎｅｔ  Ｅｘｐｌｏｒｅｒ、Ｍｏｚｉｌｌａ、Ｆｉｒｅｆｏｘ、Ｇｏｏｇｌｅ  Ｃｈｒｏｍｅ、Ｓａｆａｒｉ、又は同種のもの）又は独自のソフトウエアなどの、ユーザーに情報を提示し、ユーザーからのフィードバックを受信するための任意のインターフェースであってよい。その他のソフトウエア、ハードウエア、及び／又はインターフェースは、ユーザーと、ユーザー機器１０２及び計算装置１０４のうち１つ以上との間の通信を提供するために使用されてよい。一例として、通信要素１０６は、様々なファイルをローカルの提供元、又はリモートの提供元へ要求してよい。一例として、通信要素１０６は、データを計算装置１０４のようなローカル又はリモートの機器に対して送信してよい。
【００１４】
ある態様において、ユーザー機器１０２は、ユーザー識別子又は機器識別子１０８と関連してよい。一例として、機器識別子１０８は、あるユーザー又はユーザー機器（例：ユーザー機器１０２）を他のユーザー又はユーザー機器から区別するための任意の識別子、トークン、文字、文字列、又は同種のものであってよい。更なる態様においては、機器識別子１０８は、ユーザー又はユーザー機器を、ユーザー又はユーザー機器の特定のクラスに属していると特定してよい。更に一例として、機器識別子１０８は、製造者、機器のモデル又はタイプ、ユーザー機器１０２に関連したサービスプロバイダー、ユーザー機器１０２の状態、ロケータ、及び／又は、ラベル又は分類等の、ユーザー機器についての情報を含んでよい。その他の情報は、機器識別子１０８によって表現されてよい。機器識別子１０８は、特定のサービス又は情報へのアクセスを管理するためのユーザー／ユーザー機器の認証に使用されてよい。
【００１５】
ある態様において、機器識別子１０８は、インターネットプロトコルアドレス、ネットワークアドレス、インターネットアドレス、又は同種のもの等の、アドレス要素１１０を含んでよい。一例として、アドレス要素１１０は、ユーザー機器１０２と計算装置１０４又は他の機器及び／又はネットワークとの間の通信セッションを確立するために信頼されてよい。更に一例として、アドレス要素１１０は、ユーザー機器１０２の識別子又はロケータとして使用されてよい。
【００１６】
ある態様において、計算装置１０４は、ユーザー機器１０２、その他の計算装置１０４及び／又は例えばセンサ（例：センサ１１８）を含む論理構成要素と通信するためのサーバーであってよい。一例として、計算装置１０４は、ピア・ツー・ピア通信や適合性管理サービスのようなサービスを提供するためにユーザー機器１０２と通信してよい。ある態様において、計算装置１０４は、ユーザー機器１０２を、１以上のユーザー又はアパレル１１５のアイテムと関連したデータ、機器、ファイル、及び計算要素等のリモート資源と相互作用させてよい。一例として、計算装置は、アパレル１１５の特定のアイテムについての計算モジュールとして構成されてよい。したがって、ユーザー機器１０２は、アパレル１１５についての機能を制御するために計算装置１０４と相互作用してよい。
【００１７】
ある態様において、計算装置１０４は、ユーザー機器１０２とデータ記憶装置１１４の間でデータを送受信するための通信を管理してよい。一例として、データ記憶装置１１４は、複数のファイル、ウェブページ、ユーザー識別子又は記録、又は他の情報を記憶してよい。更に一例として、ユーザー機器１０２は、データ記憶装置１１４からファイルを要求、及び／又は引き出してよい。ある態様において、データ記憶装置１１４は、アドレス要素１１０及び／又はアパレル情報１１２のような、ユーザー機器１０２についての情報を記憶してよい。アパレル情報１１２は、衣類（例：スマートアパレル）の特定のアイテムの識別子、アパレルに関連したセンシング技術の数及び／又はタイプ、センサ１１８で測定した情報又は他の情報源、位置、習慣、嗜好などのユーザーデータを含んでよい。アパレル情報１１２は、アパレルのための証明書（certifications）、標準（standards）、性能の測定基準／要求（claims）など、及び／又は、アパレルが着用される位置に基づいた適合性を含んでよい。一例として、様々な建物（premises）及び／又は位置は、その領域内のユーザーによって着用されるアパレルのための適合性標準を有してよい。そのような適合性標準は、計算装置１０４又は他の機器において記憶され更新されてよい。任意の情報は、データ記憶装置１１４に記憶され、データ記憶装置１１４から読み出されてよい。データ記憶装置１１４は、計算装置１０４から離れて配置され、直接又は間接接続によりアクセスされてよい。データ記憶装置１１４は、計算装置１０４又は他の機器やシステムと統合されてもよい。さらに、適合性管理部１２０のような追加の構成要素は、計算装置１０４と統合され、又は、計算装置１０４によってホストされてよい。
【００１８】
本明細書において説明するように、「スマート」センシング技術として動作するために、アパレル１１５の様々なアイテムは、情報を受信する又は情報にアクセスするように構成されてよい。一例として、アパレル１１５は、そのアパレルに特有の識別可能な情報を通信するように構成された、チップ又はＲＦＩＤタグのようなアパレル識別子１１７を含んでよい。別の例として、アパレル１１５は、アパレル１１５、着用者、及び／又はそれらの環境の特徴を継続的に又は定期的に測定するため１つ以上のセンサ１１８（例：ＥＩＭ）を含んでよい。特徴は、例えばトゥキャップの完全性のような適合性特徴を含んでよい。したがって、センサ１１８は、ＲＦ信号に応答可能なアンテナとして構成されるＥＩＭ（Electromagnetically Induced Material）であって、それらを含んでよい。別の実施態様において、センサは、特徴を送信するように構成されたアクティブセンサ１１８であってよい。
【００１９】
センサ１１８は、どんなサイズであってよく、アクティブに又はパッシブに電力供給されてよい。例えば、センサ１１８は、専用の電源を必要とせずに、電磁放射に応答するように構成されたＲＦアンテナであってよい。しかしながら、別のアクティブなアプローチが使用され、センサ１１８は、貯蓄エネルギー（例：電池）、運動エネルギー装置、太陽エネルギー装置等の様々なエネルギー源を含んでよい。センサ１１８は、収集した情報の量を記録するためのキャッシュやメモリを含んでいてよい。代わりに、センサ１１８は、統合されたメモリ又は処理を有さない、データ処理能力のない（dumb）センサ１１８であってよい。センサ１１８は、センサ１１８により収集又は受信した任意の情報の解析及び／又はプリプロセッシングを行うためのプロセッサ及び／又はロジックを含んでよい。アパレル１１５は、任意の数、構成のセンサ１１８を含んでよい。
【００２０】
図２に示されるように、アパレル１１５（例：履物）のアイテムの一例は、複数のセンサ１１８ａ、１１８ｂを含んでよい。センサ１１８ａ、１１８ｂは、互いに通信してよく、又は１１８ａ、１１８ｂのうち他方のセンサから独立していてよい。センサ１１８ａ、１１８ｂは、無線又は有線接続（例：導電性インク）によって互いに通信してよい。センサ１１８ａ、１１８ｂは、様々な通信メカニズム（例：ＲＦ）を使用して、及び／又は、様々なネットワーク、仕様、プロトコルを介して、情報を送受信するように構成されてよい。センサ１１８ａ、１１８ｂは、トゥキャップ２００に隣接するような、アパレル１１５のアイテムの任意の場所に配置されてよい。しかしながら、他の構成は、可能である。更に一例として、センサ１１８ａ、１１８ｂの位置は、アパレル１１５のユーザー又はアイテムそのものの温度又は水分のプロファイルに基づいて決定されてよい。
【００２１】
任意の数及び構成のセンサ１１８ａ、１１８ｂは、使用されてよい。センサ１１８ａ、１１８ｂ及びセンサ１１８ａ、１１８ｂ間の接続リード線は、アパレルを洗濯できるように、センサ１１８ａ、１１８ｂをアパレルから取り外すことなく洗濯可能に構成されてよい。本明細書において議論されるように、センサ１１８ａ、１１８ｂは、様々な情報を互いに受け渡すために様々な通信プロトコルを介してユーザー機器１０２のような機器と通信するように構成されてよい。
【００２２】
センサ１１８ａの特定のものは、アパレル１１５の識別可能な情報（例：アパレル識別子１１７）を示すために配置されてよい。一例として、センサ１１８ａは、センサ１１８ａの近くのＲＦリーダーにアパレル識別子１１７を示すように構成されたＲＦＩＤタグであってよい。センサ１１８ｂの他のものは、トゥキャップ２００の特徴を測定するために配置されてよい。一例として、センサ１１８ｂは、トゥキャップ２００の完全性の特徴を測定するように構成されてよい。そのような特徴は、センサ１１８ｂのアンテナによって提供される応答信号の形態で示されてよい。トゥキャップ２００が適切に機能するとき、センサ１１８ｂは、第１の応答信号を提供してよい。しかしながら、トゥキャップ２００が傷つけられていた（has been compromised）とき、センサ１１８ｂのアンテナは、トゥキャップ２００の傷つけられた状態を示す第２の応答信号を反映させてよい。一例として、ＥＩＭタイプのアンテナは、インシデント問い合わせ信号（interrogation signal）に応答して第１の応答信号を提供してよい。第１の応答信号は、アンテナを形成するそれぞれの導電性のリード線の傷ついていない形状及び完全性に基づいた信号の形態を有してよい。しかしながら、ＥＩＭタイプのアンテナの一部が傷ついている（例：破損した、曲げられた、分離された、等）場合、傷ついたアンテナから起こる同一の問い合わせ信号は、第１の応答信号とは異なる第２の応答信号をもたらす。したがって、アンテナの状態は、関連したアパレル又はトゥキャップ２００の状態を推定するために使用されてよい。
【００２３】
センサ１１８ｂは、トゥキャップ２００の最上部、下部、内部、又はそれらの組み合わせに配置されてよい。ユーザー機器１０２又は計算装置１０４のような機器は、電磁気信号をセンサ１１８ｂに提供するように構成されてよく、それによって、センサ１１８ｂは、アパレル１１５及び／又はトゥキャップ２００の状態を示す信号を反映させる。アンテナからの応答信号の変化又は中断は、アンテナの構造への機械的な変化を示すことがあり、アパレル１１５又はトゥキャップ２００の特定の状態として解釈されてよい。応答信号によって、任意の数の状態が示されてよい。様々なセンサ１１８ｂは、様々な応答信号を生成するように構成されてよい。一例として、図３（Ａ）〜図３（Ｅ）は、センサ１１８として使用され得るセンサ３０２、３１２、３２２、３３２、３４２の構成例を有するトゥキャップ３００、３１０、３２０、３３０、３４０の例を示す。示されるように、ＥＩＭは、様々な方向のカバレッジを有する多数の形状及びサイズに構成されてよい。図３（Ａ）のセンサ３０２は、横に向かう又は横断する構成を有する。図３（Ｂ）のセンサ３１２は、大体平行な横に向かう構成で構成された複数のアンテナを含む。図３（Ｃ）のセンサ３２２は、複数の次元を示すように構成されたアンテナの網を含む。図３（Ｄ）のセンサ３３２は、縦の構成を含む。図３（Ｅ）のセンサ３４２は、複数の大体平行な縦のアンテナを含む。示されたように、任意の数のアンテナ及びアンテナの構成は、様々なベースライン応答信号の形態を生成するために使用されてよい。
【００２４】
図１に戻り、情報源１１６の１つ以上は、センサ１１８から収集又は受信した情報のような情報を記憶するためにデータ記憶装置１１９を含んでよい。情報源１１６は、仕事場に固有の状況のような環境状況についての情報を含んでよい。例えば、情報源１１６は、仕事場における適合性標準に影響し得る温度及び／又は降水量に関する、位置に基づいた情報を収集する気象サービスと関連してよい。そのような情報は、データ記憶装置１１９に記憶され、及び／又は、他のシステムによりアクセス又は受信可能になってよい。情報源１１６はシステムによるアクセス又は情報受信に使用するために、統計解析、ヒューリスティクス及び／又はヒストリカルトレンドのような解析を実行してよい。
【００２５】
ある態様において、適合性管理部１２０は、ユーザー機器１０２、計算装置１０４、センサ１１８、及び情報源１１６のうち１つ以上から情報を受信するように構成されてよい。適合性管理部１２０は、受信した情報を処理し、受信した情報についてのフィードバックを提供するためのハードウエアやソフトウエアであるか、それらを含んでよい。ハードウエアやソフトウエアの構成要素の様々な構成は、使用されてよい。適合性管理部１２０と同一又は同様の機能を有するその他の構成要素は、使用されてよい。適合性管理部１２０は、ユーザー機器１０２及び計算装置１０４のうち１つ以上よりアクセスされてよく、ハードウエア又はロジックとして様々な処理要素へ統合されてよい。適合性管理部１２０は、ユーザー機器１０２及び／又は計算装置１０４と異なるスタンドアローンの構成要素であってよく、又は、ユーザー機器１０２、計算装置１０４、他の機器又はシステムのうち１つ以上に統合されてよい。図には、全てのハードウエア及び論理構成要素は、示されていないが、それらは、本明細書内に提示される説明により意図していると理解される。
【００２６】
ある態様において、適合性管理部１２０は、１つ以上の計算ノード（例：計算装置１０４）、ユーザー機器１０２、センサ１１８、及び／又は情報源１１６のような様々な提供元からデータを受信するプリプロセッサ構成要素１２２を含んでよい。一例として、プリプロセッサ構成要素１２２は、情報のデータダンプを受信するように構成されてよく、及び／又は、受信した又はアクセスしたデータの少なくとも一部をフィルタするために、受信した又はアクセスしたデータを処理するように構成されてよい。更に一例として、プリプロセッサ構成要素１２２は、受信した情報を適合性標準、位置、提供元識別子、アパレル識別子１１７、ユーザープロファイル、活動タイプ、活動レベル等のような１つ以上のパラメーターに基づいてフィルタ／分類するように構成されてよい。
【００２７】
適合性管理部１２０は、例えばプリプロセッシング構成要素１２２又は他のデータ提供元からのデータにアクセスする又はデータを受信する（通信フロー）ために構成された解析構成要素１２４を含んでよい。解析構成要素１２４は、アパレル及び関連した着用者について現在の状態及び／又は適合性シグネチャを評価するため、例えば統計解析、比較解析、ヒューリスティクス及び／又は機械学習アルゴリズムを使用して受信したデータを解析するように構成されてよい。一例として、解析構成要素１２４は、図４で説明されるような１つ以上の動作を実行するように構成されてよい。更に一例として、解析構成要素１２４、又は、適合性管理部１２０の１つ以上のその他の構成要素は、適合性管理部１２０により受信した情報に基づいて１人以上のユーザー／着用者又はアパレル１１５のために適合性シグネチャ１３０を生成するように構成されてよい。適合性シグネチャ１３０は、１つ以上のセンサ１１８から受信された情報を表す信号の形態又は波形であるか、又はそれらを含んでよい。適合性シグネチャ１３０は、様々な適合性のレベルに関連した値を有する英数字によるインデックスであって、又はそれを含んでよい。適合性シグネチャ１３０は、アパレル１１５及び／又はアパレル１１５のアクセサリが特定の適合性標準を満たすかを示す複数のパラメーターを有するプロファイルであるか、又はそれを含んでよい。適合性シグネチャ１３０は、データ記憶装置１２８及び／又はユーザー機器１０２のようなその他の機器又は記憶装置に記憶されてよい。
【００２８】
適合性管理部１２０は、１つ以上の適合性規則１３２に基づいて１つ以上の適合性シグネチャ１３０を生成するように構成されてよい。適合性規則１３２は、適合性管理部１２０から受信した情報の解析を制御するロジックを含んでよい。一例として、適合性規則１３２は、適合性シグネチャ１３０の生成を助けるため、ルックアップテーブル（ＬＵＴ）、ＩＦ−ＴＨＥＮ関係、キーバリューペア、重み付けアルゴリズム、機械学習、ヒューリスティクス、又はその他のメカニズムを含んでよい。そのような規則は、データ記憶装置１２８のような任意の場所に記憶されてよい。
【００２９】
応答構成要素１２６は、解析構成要素１２４により実行される解析に基づいた評価とお勧めを提供するように構成されてよい。評価及びお勧めは、適合性のサマリー、予測適合性モデルの更新、アパレルのお勧め、及びユーザー又はアパレルプロファイルの更新を含んでよい。受信又はアクセスした情報、分類、統計、及び／又は改善ログは、データ記憶装置１２８に記憶されてよい。応答構成要素１２６は、アパレルの１つ以上のアイテム及び関連したユーザー／着用者についての情報を自動的に更新するように構成されてよい。
【００３０】
応答構成要素１２６は、ユーザーインターフェース要素を例えばユーザー機器１０２又は他の機器を介して着用者に提供するように構成されてよい。そのようなユーザーインターフェース要素は、音声フィードバック、視覚フィードバック、触覚フィードバックなどを含んでよい。ユーザーインターフェース要素は、ユーザー／着用者に適合性を変更するためにアパレルを操作する命令を示してよい。ユーザーインターフェース要素は、アパレルの特定のアイテムを着用するように示してよい。ユーザーインターフェース要素は、適合性状態、及び／又は、適合性に影響し得る要因についてユーザー／着用者に通知を示してよい。ユーザーインターフェース要素は、ユーザーからのフィードバックの要求を示してよい。
【００３１】
適合性シグネチャ１３０は、少なくとも特定のユーザー／着用者についての情報に基づいて生成される。例えば、特定のユーザー／着用者についてのユーザープロファイル又は情報は、適合性管理部１２０により受信又はアクセスされてよい。ユーザープロファイルは、位置、活動レベル、ユーザースケジュール、及びユーザーの嗜好のような情報を含んでよい。適合性シグネチャ１３０は、ユーザープロファイル内の情報のカテゴリの１つ以上に基づいて生成されてよい。一例として、適合性シグネチャ１３０は、着用者が位置する、又は今後位置する様々な位置に基づいて生成されてよい。
【００３２】
適合性シグネチャ１３０は、１つ以上の適合性規則１３２に基づいて生成されてよい。一例として、適合性規則１３２は、仕事場又は活動と関連するアパレル適合性のための標準ガイドラインを示してよい。様々な適合性規則１３２は、様々なエンティティ及び／又はユーザーによって確立されてよく、様々な方法によって調整され及び／又は適用されてよい。
【００３３】
適合性規則１３２の適用及び結果として得られる適合性シグネチャ１３０は、アパレル１１５の単一のアイテム、又は着用者、又はアパレル１１５の１つ以上のアイテム及び着用者を含む領域に特有なものに変更（ローカライズ）されてよい。適合性規則１３２の適用及び結果として得られる適合性シグネチャ１３０は、１つ以上のサブ領域を有するより大きい領域の合計のような、アパレル１１５の複数のアイテム及び着用者を表現する形へ「グローバライズ」されてよい。
【００３４】
＜方法＞
図４は、これから説明するシステム及びネットワークに実装され得る動作手順の例を示す。例えば、図１から図３を参照すると、動作又はステップ４０２は、履物のためのトゥキャップのようなアパレルと関連する識別子を受信する、又は識別子にアクセスすることを含んでよい。一例として、識別子は、履物に配置されたＲＦＩＤタグから無線周波数を経由して受信／アクセスされる。別の例として、識別子は、無線通信チャネルを経由して受信／アクセスされる。
【００３５】
動作又はステップ４０４において、特徴情報は、履物のためのトゥキャップと関連して受信又はアクセスされる（例：ＲＦ経由で）。特徴情報は、履物に配置されたアンテナから生成されたＲＦ信号の形態によって示されてよい。特定の態様において、トゥキャップの傷つけられた状況のような適合性状態は、アンテナから生成された信号の形態に反映される。
【００３６】
動作又はステップ４０４において、トゥキャップの適合性（例：適合性シグネチャ）は、少なくとも識別子及び特徴情報に基づいて決定される。適合性を決定することは、適合性の失敗又は特定の適合性標準を満たすことを含んでよい。適合性を決定することは、特徴情報を比較情報と比較することを含む。一例として、比較情報は、少なくとも識別子に基づいて選択される。別の例として、比較情報は、様々なアンテナ及び関連するアパレルの様々な状態を示す信号の形態又は波形を含んでよい。
【００３７】
動作又はステップ４０４において、応答は、少なくとも適合性の決定に基づいて、履物の着用者に提供されてよい。着用者への応答は、１つ以上の音声フィードバック、視覚フィードバック、触覚フィードバックであってよく、又はそれらを含んでよい。着用者への応答は、着用者への適合性の通知、着用者への命令、履物を変更するための提案、又は、それらの組み合わせを示してよい。別の応答は、適合性の決定に基づいて提供されてよい。
【００３８】
当業者は、本明細書内で開示された態様に関連する論理ブロック、モジュール及びアルゴリズムステップは、電気的なハードウエア、コンピューターソフトウエア、又はその組み合わせとして実装されることを理解するであろう。ハードウエアとソフトウエアの互換性を明確に説明するために、様々な説明用構成要素、ブロック、モジュール、及びステップを、概して機能の点から説明した。
【００３９】
上述の機能がハードウエア又はソフトウエアとして実装されるかどうかは、全体的なシステムの設計における制約に依存する。当業者は、説明された機能を各特定の応用例へ様々な方法で実装してよいが、そのような実装の決定が本発明の範疇から逸脱すると解釈されてはならない。そして、モジュール、ブロック又はステップ内の機能のグループ分けは、説明を簡単にするためのものである。特定の機能又はステップは、発明の範疇を逸脱することなく、１つのモジュール又はブロックから移動することができる。
【００４０】
本明細書内で開示された態様に関連して説明された論理ブロック及びモジュールは、本明細書内で説明した機能を実行するために設計された多目的プロセッサ、デジタルシグナルプロセッサ（ＤＳＰ）、特定用途向け集積回路（ＡＳＩＣ）、ｆｉｅｌｄ−ｐｒｏｇｒａｍｍａｂｌｅ  ｇａｔｅ  ａｒｒａｙ（ＦＰＧＡ）、又はその他のプログラム可能な論理デバイス、別々のゲート又はトランジスタロジック、別々のハードウエア構成要素又はそれらの任意の組み合わせにより、実装又は実行されてよい。多目的プロセッサは、マイクロプロセッサであってよいが、代替として、プロセッサは任意のプロセッサ、コントローラー、マイクロコントローラー、又は状態マシンであってよい。プロセッサは、例えば、ＤＳＰとマイクロプロセッサの組み合わせ、複数のマイクロプロセッサ、ＤＳＰコアと一体化した１つ以上のマイクロプロセッサ、又はその他の構成のような計算装置の組み合わせとして実装されてもよい。
【００４１】
本明細書内で開示された態様に関連して説明した方法のステップ又はアルゴリズムは、ハードウエアに、プロセッサ（例：コンピューターの）により実行されるソフトウエアモジュールに、又は２つの組み合わせに直接具現化されてよい。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は任意の他の記憶媒体内に存在してよい。記憶媒体の例は、プロセッサが記憶媒体から情報を読み出し、記憶媒体に情報を書き込めるように、プロセッサに接続されてよい。代わりに、記憶媒体は、プロセッサに統合されてよい。プロセッサ及び記憶媒体は、ＡＳＩＣ内に存在してよい。
【００４２】
少なくともいくつかの態様において、本明細書内で開示した技術の全て又は１つ以上の技術を実装する処理システム（例：電子的制御システム又は装置１０４、１２０）は、多目的コンピューターシステムを含むか、又は１つ以上のコンピューターにアクセス可能な媒体にアクセスするように構成されていてよい。
【００４３】
図５は、１つ以上のコンピューターによりアクセス可能な媒体を含むか、又はコンピューターによりアクセス可能な媒体へアクセス可能なように構成された多目的コンピューターシステムを示す。図示された態様において、計算装置５００は、入出力（Ｉ／Ｏ）インターフェース５３０を介してシステムメモリ５２０に接続された１つ以上のプロセッサ５１０ａ、５１０ｂ及び／又は５１０ｎ（単一のプロセッサ５１０又は複数のプロセッサ５１０として参照され得る）を含んでよい。計算装置５００は、Ｉ／Ｏインターフェース５３０に接続されたネットワークインターフェース５４０をさらに含んでよい。
【００４４】
様々な態様において、計算装置５００は、１つのプロセッサ５１０を含むユニプロセッサシステム、又は、いくつか（例：２、４、８、又はその他の適切な数）のプロセッサ５１０を含むマルチプロセッサシステムであってよい。プロセッサ５１０は、命令を実行することが可能な任意の適切なプロセッサであってよい。例えば、様々な態様において、プロセッサ５１０は、ｘ８６、ＰｏｗｅｒＰＣ、ＳＰＡＲＣ又はＭＩＰＳ  ＩＳＡ、又はその他の適切なＩＳＡ等の、様々な命令セットアーキテクチャ（ＩＳＡ）のうち任意のものを実装した多目的又は組み込みプロセッサであってよい。マルチプロセッサシステムにおいて、各プロセッサ５１０は、必ずしも必要ではないが、同一のＩＳＡを共通に実装してよい。
【００４５】
いくつかの態様において、画像処理装置（ＧＰＵ）５１２は、画像のレンダリング及び／又は物理処理能力の提供に寄与してよい。ＧＰＵは、例えば、グラフィック計算に特化された高度な並列プロセッサアーキテクチャを含んでよい。いくつかの態様において、プロセッサ５１０及びＧＰＵ５１２は、１つ以上の同じタイプの機器として実装されてよい。
【００４６】
システムメモリ５２０は、１つ又は複数のプロセッサ５１０がアクセスできる命令及びデータを記憶するように構成されてよい。様々な態様において、システムメモリ５２０は、スタティックランダムアクセスメモリ（ＳＲＡＭ）、シンクロナスダイナミックＲＡＭ（ＳＤＲＡＭ）、不揮発性／Ｆｌａｓｈ（登録商標）タイプのメモリ、又は任意のタイプのメモリのような、任意の適切なメモリ技術を用いて実装されてよい。説明した態様において、上に説明した方法、技術及びデータなどの１つ以上の所望の機能を実装したプログラムの命令やデータは、システムメモリ５２０内にコード５２５又はデータ５２６として記憶された形で示される。
【００４７】
ある態様において、Ｉ／Ｏインターフェース５３０は、１つ又は複数のプロセッサ５１０、システムメモリ５２０、及びネットワークインターフェース５４０又は他の周辺機器インターフェースを含む機器内の任意の周辺装置間のトラフィックを調整するように構成されてよい。いくつかの態様において、Ｉ／Ｏインターフェース５３０は、ある構成要素（例：システムメモリ５２０）からのデータ信号を別の構成要素（例：プロセッサ５１０）が利用するために適切なフォーマットへ変換する任意の必要なプロトコル、時間調整、又は他のデータ変換を実行してよい。いくつかの態様において、Ｉ／Ｏインターフェース５３０は、例えばペリフェラルコンポーネントインターコネクト（ＰＣＩ）バス規格又はユニバーサルシリアルバス（ＵＳＢ）バス規格の変種のような、様々なタイプの周辺バスを介して取り付ける機器へのサポートを含んでよい。いくつかの態様において、Ｉ／Ｏインターフェース５３０の機能は、ノースブリッジとサウスブリッジのような２つ以上の分離した構成要素へ分割されてよい。また、いくつかの態様において、システムメモリ５２０へのインターフェースのような、Ｉ／Ｏインターフェース５３０の機能の一部又は全体は、プロセッサ５１０へ直接組み込まれてよい。
【００４８】
ネットワークインターフェース５４０は、計算装置５００と、例えばその他のコンピューターシステム又は機器のような１つ又は複数のネットワーク５５０に接続された１つ又は複数の他の機器５６０との間におけるデータ交換が可能になるように構成されてよい。様々な態様において、ネットワークインターフェース５４０は、例えばイーサネットネットワークの類型のような、任意の適切な有線又は無線の一般的なデータネットワークを介した通信をサポートしてよい。加えて、ネットワークインターフェース５４０は、ファイバーチャネルＳＡＮ（ストレージエリアネットワーク）のようなストレージエリアネットワークを介した、又は他の任意の適切なタイプのネットワーク及び／又はプロトコルを介した、アナログ音声ネットワーク又はデジタルファイバー通信ネットワークのような遠距離通信／電話網を介した通信をサポートしてよい。
【００４９】
いくつかの態様において、システムメモリ５２０は、関連した方法や装置の態様を実装するための、上に説明したプログラム命令及びデータを記憶するように構成された、コンピューターによりアクセス可能な媒体の一態様であってよい。しかし、他の態様において、プログラム命令及び／又はデータは、異なるタイプのコンピューターによりアクセス可能な媒体上で受信、送信、又は記憶されてよい。概して、コンピューターによりアクセス可能な媒体は、磁気又は光学メディアのような非一過性の記憶媒体又は記憶メディア（例：Ｉ／Ｏインターフェース５３０を介して計算装置５００に接続されたＤＶＤ／ＣＤ）を含んでよい。非一過性のコンピューターによりアクセス可能な記憶媒体は、計算装置５００のいくつかの態様にシステムメモリ５２０又は他のタイプのメモリとして含まれ得るＲＡＭ（例：ＳＤＲＡＭ、ＤＤＲ  ＳＤＲＡＭ、ＲＤＲＡＭ、ＳＲＡＭ等）、ＲＯＭ等の揮発性又は不揮発性メディアを含んでもよい。さらに、コンピューターによりアクセス可能な媒体は、ネットワークインターフェース５４０を介して実装されるようなネットワーク及び／又は無線接続のような通信媒体を介して搬送される電気的、電磁気的又はデジタル信号のような通信メディア又は信号を含んでよい。図５に示されるような複数の計算装置の一部又は全体は、説明した機能性を様々な態様で実現するために使用されてよい。例えば、様々な異なる機器及びサーバー上で動作するソフトウエア構成要素は、機能性を提供するために協調動作してよい。いくつかの態様において、説明した機能性の一部は、多目的コンピューターシステムを使用して実装することに加えて、又は代わりに、記憶装置、ネットワーク機器又は特定用途向けコンピューターシステムを用いて実装されてよい。本明細書内で使用された「計算装置」の語は、少なくともこのような全てのタイプの機器を参照し、このようなタイプの機器に限定されない。
【００５０】
図中のシステムは説明用途に過ぎず、その他の実装を使用できることは、同様に理解されるべきであろう。加えて、本明細書中で開示される機能が、ソフトウエア、ハードウエア、又はソフトウエアとハードウエアの組み合わせとして実装されてよいことは、理解されるべきであろう。その他の実装は、当業者にとって明らかである。サーバー、ゲートウエイ、又はその他のコンピューティングノードが、機能性の説明したタイプと相互作用し実行するハードウエア又はソフトウエアの任意の組み合わせを含んでよく、デスクトップ又はその他のコンピューター、データ記憶サーバー、ネットワーク記憶装置及びその他のネットワーク機器、ＰＤＡ，タブレット、携帯電話、無線電話、ポケットベル、電子手帳、インターネット家電、テレビに基づいたシステム（例：セットトップボックス及び／又は個人的／デジタルビデオレコーダー）、及び適切な通信能力を含むその他の様々な製品を限定せず含んでよいことは、同様に理解されるべきであろう。加えて、説明したモジュールにより提供される機能は、いくつかの態様において、より少ないモジュールとして組み合されたり、追加のモジュール内にて配布されたりしてよい。同様に、いくつかの態様において、いくつかの説明されたモジュールの機能は、提供されなくてよく、及び／又は、他の付加的な機能は、利用できてよい。
【００５１】
各章にて説明した各動作、プロセス、方法及びアルゴリズムは、少なくとも１つのコンピューター又はコンピュータープロセッサにより実行されるコードモジュールとして、完全に又は部分的に自動化され、統合されてよい。コードモジュールは、ハードドライブ、ソリッドステートメモリ、光学ディスク、及び／又は同種のもの等の、非一過性のコンピューターにより読み取り可能な任意のタイプの媒体又はコンピューター記憶装置上に記憶されてよい。プロセス及びアルゴリズムは、部分的に又は全体的にアプリケーション特有の回路上に実装されてよい。開示したプロセス及びプロセスステップは、永続的に、あるいはその反対に、例えば揮発性又は不揮発性記憶装置のような任意のタイプの非一過性コンピューター記憶装置に記憶されてよい。
【００５２】
上に説明した様々な機能及びプロセスは、互いに独立して、又は様々な方法で組み合わせて使用されてよい。可能な全ての組み合わせ及び部分的組み合わせは、本開示の範疇に該当する。加えて、いくつかの実装において、特定の方法又はプロセスは、省略されてよい。本明細書内で説明した方法及びプロセスは、特定のシーケンスに限定されなくてもよく、関係するブロック又は状態は、適切なその他のシーケンスで実行されてよい。例えば、説明したブロック又は状態は、具体的に開示された順序と異なる順序で実行されてよく、又は、複数のブロック又は状態は、１つのブロック又は状態として結合されてよい。ブロック又は状態の例は、直列、並列、又は他の方式で実行されてよい。ブロック又は状態は、開示された態様の例に追加されてよく、又は削除されてよい。本明細書内で説明されたシステムの例及び構成要素は、説明とは異なる形で構成されてよい。例えば、要素は、開示された態様の例に対して追加、削除又は再編成されてよい。
【００５３】
様々なアイテムが、使用中にメモリ又は記憶装置に記憶されるように示されたこと、及び、それらのアイテム又はその一部が、メモリ管理又はデータ完全性の目的でメモリ又はその他の記憶装置の間を転送されてよいことは、同様に理解されよう。代わりに、他の態様において、ソフトウエアモジュール及び／又はシステムの一部又は全ては、別の機器のメモリ中で実行し、コンピューター間通信を介して説明したコンピューターシステムと通信してよい。さらに、いくつかの態様において、システム及び／又はモジュールの一部又は全ては、少なくとも１つの特定用途向け集積回路（ＡＳＩＣ）、標準集積回路、コントローラー（例：適切な命令を実行し、マイクロコントローラー及び／又は組み込みコントローラーを含むことによって）、ｆｉｅｌｄ−ｐｒｏｇｒａｍｍａｂｌｅ  ｇａｔｅ  ａｒｒａｙｓ（ＦＰＧＡ）、ｃｏｍｐｌｅｘ  ｐｒｏｇｒａｍｍａｂｌｅ  ｌｏｇｉｃ  ｄｅｖｉｃｅｓ（ＣＰＬＤ）等を含むがこれらに限定されないファームウエア又はハードウエアに少なくとも部分的にあるような、その他の方法で実装又は提供されてよい。モジュール、システム及びデータ構造の一部又は全ては、ハードディスク、メモリ、ネットワーク、又は、適切なドライブにより若しくは適切な接続を経由して読み取り可能なポータブルメディアのような、コンピューターにより読み取り可能な媒体に記憶（例：ハードウエア命令又は構造化データとして）されてもよい。システム、モジュール及びデータ構造は、無線ベースの及び有線／ケーブルベースのメディアを含む様々なコンピューターにより読み取り可能な伝達メディア上を、生成したデータ信号（例：搬送波又はその他のアナログ又はデジタル伝搬信号の一部として）としても転送されてよく、そして様々な形態（例：単一の又は複合アナログ信号として、又は複数の別々のデジタルパケット又はフレームとして）を取ってよい。そのようなコンピュータープログラムは、他の態様において他の形態を取ってもよい。したがって、本発明は、他のコンピューター構成において実行されてよい。
【００５４】
本明細書中で使用した、「〜てもよい」「〜し得る」「〜できる」「例」やその他の条件を示す言葉は、別段の具体的な定めがない限り、又は使用される文脈で理解されない限り、特定の態様が特定の機能、要素、及び／又はステップを含む一方、他の態様が含まないことを伝えることが通常意図される。したがって、それらの機能、要素及び／又はステップが任意の特定の態様に含まれようが、任意の特定の態様において実行されようが、そのような条件を表す言葉は、著者の入力又は促進（prompting）にかかわらず、機能、要素及び／又はステップが少なくとも一つの態様のために何らかの方法で要求されること、又は、少なくとも一つの態様が決定のための論理を不可欠に含むことを暗示するように、通常は意図されない。「備える」、「含む」、「有する」等の語は、同義語であり、それらは包含する意味で、オープンエンドな流儀で使用され、追加の要素、機能、行為、動作、その他を除外しない。また、「又は」の語は、包含する意味で（そして除外する意味ではなく）使用されているため、例えば要素のリストを連結する目的で使用された時は、「又は」の語は、リストの要素のうち１つ、いくつか、又は全ての要素を意味する。
【００５５】
特定の態様の例を説明したが、これらの態様は、例示のみを目的として提示され、本明細書内で開示する発明の範疇を限定することを意図しない。したがって、前述の説明中、どの特定の機能、特徴、ステップ、モジュール又はブロックも、必要又は不可欠と含意する意図はない。実際に、本明細書中で説明する新しい方法及びシステムは、その他の様々な形態で実装されてよい。さらに、本明細書中に説明した方法及びシステムの形態への様々な省略、置換、及び変更は、本明細書中で開示した発明の精神から逸脱することなく行われてよい。添付した請求項及びその同等物は、そのような形態と変更を含むように意図され、本明細書内で開示したいくつかの発明の範疇と精神に該当する。
【００５６】
上述の説明は、例示を目的としたものであり、発明又は応用及び発明の利用を限定することを目的とするものではない。説明した態様は、特定のタイプの機械と共に使用するように限定はされない。それゆえに、説明の便宜上、本開示は、特定の機械を示し説明したが、本開示におけるトラックローラアセンブリ及び電子的制御システムは、様々な別の構成で実装されてよく、別のタイプの機械で使用されてよいことが理解されよう。さらに、前述の背景又は詳細な説明にて提示された任意の理論により制約を行う意図はない。説明は、参照する項目をより良く説明するために誇張した面を含むことがあり、限定すると明示しない限り限定は考慮されないことは、同様に理解される。
【００５７】
前述の説明は、開示するシステム及び技術の例を提供すると理解されよう。しかしながら、本開示の他の実装は、前述の説明と細部が異なることがあると考えられる。本開示又は本開示中の例への全ての参照は、その時点で議論の対象である特定の例への参照を意図しており、本開示の範疇をより一般的に限定することは意図していない。特定の機能に関連する、全ての区別及び軽視（disparagement）の言語は、それらの機能への好みの欠如を示すように意図されるが、特に示されない限り、それらを開示の範疇から完全に除外しない。
【００５８】
本明細書中における値の範囲の記述は、本明細書中で別途示されない限り、範囲内の別個の値を個々に参照する方法に対する簡単な方法として働くことをのみ意図しており、各別個の値は、個別に列挙されたかのように明細書に援用される。本明細書中で説明された全ての方法は、本明細書中で指摘しない限り、また文脈において明確に否定されていない限り、任意の適切な順序で実行されてよい。
【図１】
2019532525.tif 000003
【図２】
2019532525.tif 000004
【図３Ａ】
2019532525.tif 000005
【図３Ｂ】
2019532525.tif 000006
【図３Ｃ】
2019532525.tif 000007
【図３Ｄ】
2019532525.tif 000008
【図３Ｅ】
2019532525.tif 000009
【図４】
2019532525.tif 000010
【図５】
2019532525.tif 000011
【国際調査報告】
2019532525.tif 000012
2019532525.tif 000013
2019532525.tif 000014